(57)【要約】【課題】  電話回線上の雑音の周波数特性を自動的に観測することが可能な通信装置を提供する。【解決手段】  まず、計算制御部４は、スイッチ回路ＳＷ１をオフにする。次に、スペクトラムアナライザ６は、受信部３の入力部分に現れる雑音Ｎ１の周波数スペクトルを測定する。続いて、計算制御部４は、スイッチ回路ＳＷ１をオンにする。次に、スペクトラムアナライザ６は、受信部３の入力部分に現れる雑音Ｎ２の周波数スペクトルを測定する。そして、計算制御部４は、雑音Ｎ２の周波数スペクトルから雑音Ｎ１の周波数スペクトルを差し引いて、雑音Ｎ３の周波数スペクトルを算出する。したがって、電話回線上の雑音の周波数特性を自動的に観測することが可能になり、雑音測定の労力が低減される。【選択図】        図１
2007028175.tif 000002
【特許請求の範囲】
【請求項１】
電話回線を利用して相手側の通信装置とデジタルデータ通信を行なう通信装置であって、
前記電話回線に接続され、送信信号と受信信号とを分離するためのハイブリッド回路、
前記ハイブリッド回路を介して前記電話回線に送信信号を送出する送信部、
前記ハイブリッド回路を介して前記電話回線から受信信号を受ける受信部、
前記ハイブリッド回路と前記電話回線との間に設けられ、オン／オフ制御可能なスイッチ回路、および
前記スイッチ回路をオフにして、前記通信装置内で発生する第１の雑音の周波数スペクトルを測定し、次に前記スイッチ回路をオンにして、前記第１の雑音と前記電話回線上の雑音とが合成された第２の雑音の周波数スペクトルを測定し、前記第２の雑音の周波数スペクトルから前記第１の雑音の周波数スペクトルを差し引くことによって、前記電話回線上の雑音の周波数スペクトルを算出する雑音観測手段を備える、通信装置。
【請求項２】
前記雑音観測手段は、
前記受信部の入力部分に現れる前記第１および第２の雑音の周波数スペクトルを測定するスペクトラムアナライザ、および
前記第２の雑音の周波数スペクトルから前記第１の雑音の周波数スペクトルを差し引くことによって、前記電話回線上の雑音の周波数スペクトルを算出する計算制御部を含む、請求項１に記載の通信装置。
【請求項３】
電話回線を利用して相手側の通信装置とデジタルデータ通信を行なう通信装置であって、
前記電話回線に接続され、送信信号と受信信号とを分離するためのハイブリッド回路、
データ通信時は前記相手側の通信装置への送信信号を送出し、雑音観測時は所定の周波数帯域および一定の信号強度を有するテスト信号を送出する送信部、
前記データ通信時は前記送信部から送出された送信信号を受けて前記ハイブリッド回路を介して前記電話回線に与え、前記雑音観測時は前記送信部から送出されたテスト信号を受けて前記ハイブリッド回路をバイパスさせるバイパス手段、
前記データ通信時は前記ハイブリッド回路を介して前記電話回線から受信信号を受けて復調し、前記雑音観測時は前記バイパス手段によってバイパスされたテスト信号を受けて復調し、復調した信号の信号対雑音比の周波数スペクトルを算出する受信部、
前記ハイブリッド回路と前記電話回線との間に設けられ、オン／オフ制御可能なスイッチ回路、および
前記雑音観測時において、前記スイッチ回路をオフにして、前記受信部から第１の信号対雑音比の周波数スペクトルを受け、予め記憶されたテスト信号の周波数スペクトルから前記第１の信号対雑音比の周波数スペクトルを差し引くことによって、前記通信装置内で発生する第１の雑音の周波数スペクトルを算出し、次に前記スイッチ回路をオンにして、前記受信部から第２の信号対雑音比の周波数スペクトルを受け、予め記憶されたテスト信号の周波数スペクトルから前記第２の信号対雑音比の周波数スペクトルを差し引くことによって、前記第１の雑音と前記電話回線上の雑音とが合成された第２の雑音の周波数スペクトルを算出し、前記第２の雑音の周波数スペクトルから前記第１の雑音の周波数スペクトルを差し引くことによって、前記電話回線上の雑音の周波数スペクトルを算出する雑音観測手段を備える、通信装置。
【請求項４】
マルチキャリア変調方式を用いてデジタルデータ通信を行なう、請求項１から請求項３までのいずれかに記載の通信装置。
【発明の詳細な説明】
【技術分野】
【０００１】
この発明は、通信装置に関し、特に、電話回線を利用してデジタルデータ通信を行なう通信装置に関する。
【背景技術】
【０００２】
既存の電話回線を利用して高速のデータ通信を行なうＶＤＳＬ（Very high-bit-rate Digital Subscriber Line：超高速デジタル加入者線）では、局側装置と端末側装置との間で数十Ｍｂｐｓ程度の高速通信が実現できる。
【０００３】
非特許文献１に示されるように、ＩＴＵ（International Telecommunication Union：国際電気通信連合）の電気通信標準化部門であるＩＴＵ−Ｔ（ITU-Telecommunication standardization sector）は、ＶＤＳＬの規格に関する「Ｇ．９９３．１」を勧告している。
【０００４】
また、非特許文献２〜４に示されるように、宅内で電話回線を利用してデータ通信を行なう方式として、ＨｏｍｅＰＮＡ（Home Phone line Networking Alliance）があり、これをビル内の電話回線に転用した通信サービスが提供されている。
【０００５】
また、非特許文献５，６に示されるように、電話回線を利用して電話基地局に設置された局側装置とビル内や集合住宅内の端末側装置とを接続するＡＤＳＬ（Asymmetric DSL：非対称デジタル加入者線)による通信サービスも提供されている。
【０００６】
上述のように、電話回線を介してＶＤＳＬ、ＨｏｍｅＰＮＡ、ＡＤＳＬおよび他の独自方式などの異なった複数の方式による通信サービスが提供されている。
【非特許文献１】「超高速デジタル加入者線（ＶＤＳＬ）」，ITU-T勧告 G.993.1
【非特許文献２】「電話線利用ネットワーク送受信機−Foundation」，ITU-T勧告 G.989.1
【非特許文献３】「電話線利用ネットワーク送受信機−Payload format and link layer requirements」，ITU-T勧告 G.989.2
【非特許文献４】「電話線利用ネットワーク送受信機−Isolation function」，ITU-T勧告 G.989.3
【非特許文献５】「非対称デジタル加入者線（ＡＤＳＬ）送受信機」，ITU-T勧告 G.992.1
【非特許文献６】「スプリッタレス非対称デジタル加入者線（ＡＤＳＬ）送受信機」，ITU-T勧告 G.992.2
【発明の開示】
【発明が解決しようとする課題】
【０００７】
一般的な電話回線は、複数の回線を束ねた電話ケーブルに収容される。このため、同一ケーブル内で隣接する２つの電話回線間では、一方の回線から他方の回線へ信号が漏れ込んでしまう漏話（クロストーク）という現象が問題となる。漏話による相互干渉が発生すると、通信速度や通信品質が低下することがある。
【０００８】
したがって、十分な通信速度が得られない場合や、通信回線が接続できないなどの問題が生じた場合、電話回線上の雑音の周波数特性を定量的に把握する必要がある。しかしながら、従来の通信装置は電話回線上の雑音を測定する機能を有していなかったため、測定機材を用いて人為的に電話回線上の雑音を測定していた。
【０００９】
また、回線環境は時間的に変動することがあるため、電話回線上の雑音の周波数特性を継続的に観測する必要がある。しかしながら、従来のように測定機材を用いて電話回線上の雑音を継続的に測定するのは労力を要する。
【００１０】
それゆえに、この発明の主たる目的は、電話回線上の雑音の周波数特性を自動的に観測することが可能な通信装置を提供することである。
【課題を解決するための手段】
【００１１】
この発明に係わる通信装置は、電話回線を利用して相手側の通信装置とデジタルデータ通信を行なう通信装置であって、電話回線に接続され、送信信号と受信信号とを分離するためのハイブリッド回路と、ハイブリッド回路を介して電話回線に送信信号を送出する送信部と、ハイブリッド回路を介して電話回線から受信信号を受ける受信部と、ハイブリッド回路と電話回線との間に設けられ、オン／オフ制御可能なスイッチ回路と、スイッチ回路をオフにして、通信装置内で発生する第１の雑音の周波数スペクトルを測定し、次にスイッチ回路をオンにして、第１の雑音と電話回線上の雑音とが合成された第２の雑音の周波数スペクトルを測定し、第２の雑音の周波数スペクトルから第１の雑音の周波数スペクトルを差し引くことによって、電話回線上の雑音の周波数スペクトルを算出する雑音観測手段とを備えたものである。
【００１２】
好ましくは、雑音観測手段は、受信部の入力部分に現れる第１および第２の雑音の周波数スペクトルを測定するスペクトラムアナライザと、第２の雑音の周波数スペクトルから第１の雑音の周波数スペクトルを差し引くことによって、電話回線上の雑音の周波数スペクトルを算出する計算制御部とを含む。
【００１３】
この発明に係わる他の通信装置は、電話回線を利用して相手側の通信装置とデジタルデータ通信を行なう通信装置であって、電話回線に接続され、送信信号と受信信号とを分離するためのハイブリッド回路と、データ通信時は相手側の通信装置への送信信号を送出し、雑音観測時は所定の周波数帯域および一定の信号強度を有するテスト信号を送出する送信部と、データ通信時は送信部から送出された送信信号を受けてハイブリッド回路を介して電話回線に与え、雑音観測時は送信部から送出されたテスト信号を受けてハイブリッド回路をバイパスさせるバイパス手段と、データ通信時はハイブリッド回路を介して電話回線から受信信号を受けて復調し、雑音観測時はバイパス手段によってバイパスされたテスト信号を受けて復調し、復調した信号の信号対雑音比の周波数スペクトルを算出する受信部と、ハイブリッド回路と電話回線との間に設けられ、オン／オフ制御可能なスイッチ回路と、雑音観測時において、スイッチ回路をオフにして、受信部から第１の信号対雑音比の周波数スペクトルを受け、予め記憶されたテスト信号の周波数スペクトルから第１の信号対雑音比の周波数スペクトルを差し引くことによって、通信装置内で発生する第１の雑音の周波数スペクトルを算出し、次にスイッチ回路をオンにして、受信部から第２の信号対雑音比の周波数スペクトルを受け、予め記憶されたテスト信号の周波数スペクトルから第２の信号対雑音比の周波数スペクトルを差し引くことによって、第１の雑音と電話回線上の雑音とが合成された第２の雑音の周波数スペクトルを算出し、第２の雑音の周波数スペクトルから第１の雑音の周波数スペクトルを差し引くことによって、電話回線上の雑音の周波数スペクトルを算出する雑音観測手段とを備えたものである。
【００１４】
また好ましくは、マルチキャリア変調方式を用いてデジタルデータ通信を行なう。
【発明の効果】
【００１５】
この発明に係わる通信装置では、電話回線に接続され、送信信号と受信信号とを分離するためのハイブリッド回路と、ハイブリッド回路を介して電話回線に送信信号を送出する送信部と、ハイブリッド回路を介して電話回線から受信信号を受ける受信部と、ハイブリッド回路と電話回線との間に設けられ、オン／オフ制御可能なスイッチ回路と、スイッチ回路をオフにして、通信装置内で発生する第１の雑音の周波数スペクトルを測定し、次にスイッチ回路をオンにして、第１の雑音と電話回線上の雑音とが合成された第２の雑音の周波数スペクトルを測定し、第２の雑音の周波数スペクトルから第１の雑音の周波数スペクトルを差し引くことによって、電話回線上の雑音の周波数スペクトルを算出する雑音観測手段とが設けられる。したがって、通信装置が電話回線上の雑音の周波数特性を観測する機能を有し、電話回線上の雑音の周波数特性を自動的に観測することが可能になる。これにより、雑音測定の労力が低減される。
【００１６】
この発明に係わる他の通信装置では、電話回線に接続され、送信信号と受信信号とを分離するためのハイブリッド回路と、データ通信時は相手側の通信装置への送信信号を送出し、雑音観測時は所定の周波数帯域および一定の信号強度を有するテスト信号を送出する送信部と、データ通信時は送信部から送出された送信信号を受けてハイブリッド回路を介して電話回線に与え、雑音観測時は送信部から送出されたテスト信号を受けてハイブリッド回路をバイパスさせるバイパス手段と、データ通信時はハイブリッド回路を介して電話回線から受信信号を受けて復調し、雑音観測時はバイパス手段によってバイパスされたテスト信号を受けて復調し、復調した信号の信号対雑音比の周波数スペクトルを算出する受信部と、ハイブリッド回路と電話回線との間に設けられ、オン／オフ制御可能なスイッチ回路と、雑音観測時において、スイッチ回路をオフにして、受信部から第１の信号対雑音比の周波数スペクトルを受け、予め記憶されたテスト信号の周波数スペクトルから第１の信号対雑音比の周波数スペクトルを差し引くことによって、通信装置内で発生する第１の雑音の周波数スペクトルを算出し、次にスイッチ回路をオンにして、受信部から第２の信号対雑音比の周波数スペクトルを受け、予め記憶されたテスト信号の周波数スペクトルから第２の信号対雑音比の周波数スペクトルを差し引くことによって、第１の雑音と電話回線上の雑音とが合成された第２の雑音の周波数スペクトルを算出し、第２の雑音の周波数スペクトルから第１の雑音の周波数スペクトルを差し引くことによって、電話回線上の雑音の周波数スペクトルを算出する雑音観測手段とが設けられる。この場合も、通信装置が電話回線上の雑音の周波数特性を観測する機能を有し、電話回線上の雑音の周波数特性を自動的に観測することが可能になる。これにより、雑音測定の労力が低減される。また、低コスト化、装置の小型化が図れる。
【発明を実施するための最良の形態】
【００１７】
［実施の形態１］
図１は、この発明の実施の形態１によるｘＤＳＬ通信装置の概略構成を示すブロック図である。図１において、このｘＤＳＬ通信装置は、送信部１と、ハイブリッド回路２と、受信部３と、計算制御部４と、高インピーダンスプローブ５と、スペクトラムアナライザ６と、メモリ７と、ジャック８と、スイッチ回路ＳＷ１とを備える。送信部１は、エンコーダ１１と、変調器（ＩＦＦＴ）１２と、パラレル／シリアル（Ｐ／Ｓ）変換器１３と、デジタル／アナログ変換器（ＤＡＣ）１４と、ドライバ１５とを含む。受信部３は、低雑音アンプ１６と、アナログ／デジタル変換器（ＡＤＣ）１７と、シリアル／パラレル（Ｓ／Ｐ）変換器１８と、復調器（ＦＦＴ）１９と、デコーダ２０とを含む。
【００１８】
それぞれ周波数が異なる複数のサブキャリア（副搬送波）を使用するマルチキャリア変調方式の１つとして、ＤＭＴ（Discrete Multi-Tone：離散マルチトーン）変調方式がある。ここでは、ＤＭＴ変調方式を用いたｘＤＳＬ通信装置について説明する。
【００１９】
エンコーダ１１は、外部からの入力データを符号化し、サブキャリア（副搬送波）毎にデータを割当てて、変調器１２へ出力する。変調器１２は、エンコーダ１０から受けた各サブキャリアのデータを高速フーリエ逆変換（ＩＦＦＴ：Inverse Fast Fourier Transform）によりデジタル変調して、パラレル／シリアル変換器１３へ出力する。パラレル／シリアル変換器１３は、変調器１２から受けた並列信号を直列信号に変換して、デジタル／アナログ変換器１４へ出力する。デジタル／アナログ変換器１４は、パラレル／シリアル変換器１３から受けたデジタル信号をアナログ信号に変換して、ドライバ１５に与える。ドライバ１５は、デジタル／アナログ変換器１４から受けたアナログ信号を所定のレベルに増幅して、ハイブリッド回路２へ出力する。
【００２０】
ハイブリッド回路２は、ドライバ１５から受けたアナログ信号を電話回線を介して相手側のｘＤＳＬ通信装置に与える。また、ハイブリッド回路２は、相手側のｘＤＳＬ通信装置から電話回線を介して受信したアナログ信号を低雑音アンプ１６へ出力する。ハイブリッド回路２は、相手側のｘＤＳＬ通信装置へ送信する送信信号と、相手側のｘＤＳＬ通信装置から受信する受信信号とを分離する機能を有する。
【００２１】
低雑音アンプ１６は、ハイブリッド回路２から受けたアナログ信号を所定のレベルに調整した後、アナログ／デジタル変換器１７へ出力する。アナログ／デジタル変換器１７は、低雑音アンプ１６から受けたアナログ信号をデジタル信号に変換して、シリアル／パラレル変換器１８へ出力する。シリアル・パラレル変換器１８は、アナログ／デジタル変換器１７から受けた直列信号を並列信号に変換して、復調器１９へ出力する。復調器１９は、シリアル／パラレル変換器１８から受けたデータを高速フーリエ変換（ＦＦＴ：Fast Fourier Transform）によりデジタル復調し、サブキャリア毎のデータをデコーダ２０へ出力する。デコーダ２０は、復調器１９から受けたサブキャリア毎のデータから元のデータを復元して、外部へ出力する。
【００２２】
高インピーダンスプローブ５は、受信部３の入力部分に現れる雑音を検出してスペクトラムアナライザ６へ出力する。スペクトラムアナライザ６は、高インピーダンスプローブ５を介して、受信部３の入力部分に現れる雑音の周波数スペクトル（周波数特性）を測定する。このスペクトラムアナライザ６は、簡易な構成のスペクトラムアナライザである。メモリ７は、スペクトラムアナライザ６によって測定された雑音の周波数スペクトルを一時的に記憶する。計算制御部４は、高インピーダンスプローブ５、スペクトラムアナライザ６の動作を制御する。また、計算制御部４は、メモリ７に記憶された雑音の周波数スペクトルを読出して演算処理を行なうことによって、電話回線上の雑音の周波数スペクトルを算出する。ハイブリッド回路２とジャック８との間には、スイッチ回路ＳＷ１が設けられる。このスイッチ回路ＳＷ１は、計算制御部４によってオン／オフ制御される。次に、電話回線上の雑音の周波数スペクトルを算出する動作について詳細に説明する。
【００２３】
図２は、電話回線上の雑音の周波数スペクトルを算出する動作を示すフローチャートである。図２を参照して、まず、ステップＳ１において、計算制御部４はスイッチ回路ＳＷ１をオフにする。次に、ステップＳ２において、スペクトラムアナライザ６は受信部３の入力部分に現れる雑音Ｎ１の周波数スペクトルを測定する。この雑音Ｎ１は、ｘＤＳＬ通信装置内で発生する機器雑音（機器固有の雑音）のみから成る。この雑音Ｎ１の周波数スペクトルは、メモリ７に記憶される。
【００２４】
続いて、ステップＳ３において、計算制御部４はスイッチ回路ＳＷ１をオンにする。次に、ステップＳ４において、スペクトラムアナライザ６は受信部３の入力部分に現れる雑音Ｎ２の周波数スペクトルを測定する。この雑音Ｎ２は、電話回線上の雑音と機器雑音から成る。電話回線上の雑音は、主に隣接回線から受ける漏話雑音である。この雑音Ｎ２の周波数スペクトルは、メモリ７に記憶される。
【００２５】
図３は、スペクトラムアナライザ６によって測定された雑音Ｎ１，Ｎ２の周波数スペクトルを示す図である。図２において、雑音強度の単位はｄＢｍ／Ｈｚとする。
【００２６】
図２に戻って、ステップＳ５において、計算制御部４は、メモリ７に記憶された雑音Ｎ１，Ｎ２の周波数スペクトルを読出して演算処理を行なう。具体的には、雑音Ｎ２の周波数スペクトルから雑音Ｎ１の周波数スペクトルを差し引いて、雑音Ｎ３の周波数スペクトルを算出する。
【００２７】
図４は、計算制御部４によって算出された雑音Ｎ３（＝Ｎ２−Ｎ１）の周波数スペクトルを示す図である。図４において、この雑音Ｎ３は、電話回線上の雑音のみから成る。このようにして、電話回線上の雑音の周波数特性が自動的に観測される。その後、スイッチ回路ＳＷ１をオンにしたままで、通常のデータ通信を行なうことができる。
【００２８】
なお、上述した測定動作および演算処理は予めプログラムされ、インターフェースを介して計算制御部４に指示が与えられる。ユーザは、インターフェースを介して計算制御部４から雑音Ｎ３の周波数スペクトルを取得することができる。また、インターフェースを介してメモリ７から雑音Ｎ１，Ｎ２の周波数スペクトルを読出すこともできる。ただし、計算制御部４によって算出された雑音Ｎ３の周波数スペクトルをメモリ７に記憶させて、メモリ７から雑音Ｎ３の周波数スペクトルを読出せるようにしてもよい。
【００２９】
以上のように、この実施の形態１では、ｘＤＳＬ通信装置が電話回線上の雑音の周波数特性を自動的に観測する機能を有する。このため、従来のように測定機材を個別に用意する必要がなく、電話回線上の雑音の周波数特性を継続的に観測することが可能になる。したがって、雑音測定の労力を低減することが可能になる。
【００３０】
［実施の形態２］
図５は、この発明の実施の形態２によるｘＤＳＬ通信装置の概略構成を示すブロック図であって、図１と対比される図である。図５を参照して、図１と異なる点は、計算制御部４、高インピーダンスプローブ５、スペクトラムアナライザ６およびメモリ７が削除され、制御部２１、計算部２２、メモリ２３およびスイッチ回路ＳＷ２が追加されている点である。なお、図５において、図１と対応する部分においては同一符号を付し、その詳細説明を省略する。
【００３１】
送信部１は、データ通信時に相手側のｘＤＳＬ通信装置への送信信号を送出する機能、および雑音観測時に所定の周波数帯域を有する一定強度のテスト信号ＴＳを送出する機能を有する。好ましくは、このテスト信号ＴＳは、使用する全周波数帯域（たとえばＶＤＳＬ方式の場合、１．１〜１２ＭＨｚ）を有し、その信号強度は使用する送信信号の最大強度（たとえばＶＤＳＬ方式の場合、約−６０ｄＢｍ／Ｈｚ）とする。
【００３２】
デコーダ２０は、復調器１９から受けたサブキャリア毎のデータから元のデータを復元して外部へ出力するとともに、サブキャリア毎の信号対雑音比ＳＮＲの周波数スペクトルを計算部２２に与える。ここで、サブキャリア毎の信号対雑音比ＳＮＲは、理想信号からの位相および振幅のずれの大きさに基づいて算出されるが、既に周知の技術であるためここでは詳細な説明は省略する。
【００３３】
計算部２２は、雑音観測時に、デコーダ２０から受けたサブキャリア毎の信号対雑音比ＳＮＲの周波数スペクトルに基づいて、電話回線上の雑音の周波数スペクトルを算出する。メモリ２３は、計算部２２によって算出された雑音の周波数スペクトルを一時的に記憶する。制御部２１は、計算部２２およびスイッチ回路ＳＷ１，ＳＷ２の動作を制御する。ハイブリッド回路２とジャック８との間には、スイッチ回路ＳＷ１が設けられる。ドライバ１５とハイブリッド回路２との間にはスイッチ回路ＳＷ２が設けられる。スイッチ回路ＳＷ２がＡ側に接続された場合は、ドライバ１５がハイブリッド回路２に接続され、スイッチ回路ＳＷ２がＢ側に接続された場合は、ドライバ１５がバイパス経路を介して低雑音アンプ１６に接続される。なお、バイパス経路は図５に示したものに限定されるものではなく、たとえばハイブリッド回路２がバイパス機能を有していてもよい。ここで、雑音観測時に電話回線上の雑音の周波数スペクトルを算出する動作について詳細に説明する。
【００３４】
図６は、電話回線上の雑音の周波数スペクトルを算出する動作を示すフローチャートである。図６を参照して、まず、ステップＳ１１において、制御部２１は、スイッチ回路ＳＷ１をオフにするとともに、スイッチ回路ＳＷ２をＢ側に接続する。すなわち、ドライバ１５をバイパス経路を介して低雑音アンプ１６に接続させる。
【００３５】
次に、ステップＳ１２において、送信部１から所定の周波数帯域を有する一定強度のテスト信号ＴＳを出力させる。次に、ステップＳ１３において、計算部２２は、デコーダ２０からサブキャリア毎の信号対雑音比ＳＮＲ１の周波数スペクトルを受けて、予め記憶されたテスト信号ＴＳの周波数スペクトルから信号対雑音比ＳＮＲ１の周波数スペクトルを差し引いて、雑音Ｎ１１の周波数スペクトルを算出する。算出された雑音Ｎ１１の周波数スペクトルは、メモリ２３に記憶される。
【００３６】
図７は、テスト信号ＴＳおよび信号対雑音比ＳＮＲ１の周波数スペクトルを示す図である。また、図８は、計算部２２によって算出された雑音Ｎ１１（＝ＴＳ−ＳＮＲ１）の周波数スペクトルを示す図である。この雑音Ｎ１１は、機器雑音のみから成る。なお、図７および図８において、信号強度の単位はｄＢとする。また、この演算処理はサブキャリア毎に行なわれるものとする。すなわち、ｉ番目のサブキャリアに注目した場合の計算式は、Ｎ１１i＝ＴＳi−ＳＮＲ１iとなる。
【００３７】
図６に戻って、ステップＳ１４において、制御部２１は、スイッチ回路ＳＷ１をオンにする。続いて、ステップＳ１５において、計算部２２は、デコーダ２０からサブキャリア毎の信号対雑音比ＳＮＲ２の周波数スペクトルを受けて、予め記憶されたテスト信号ＴＳの周波数スペクトルから信号対雑音比ＳＮＲ２の周波数スペクトルを差し引いて、雑音Ｎ１２の周波数スペクトルを算出する。算出された雑音Ｎ１２の周波数スペクトルは、メモリ２３に記憶される。
【００３８】
図９は、テスト信号ＴＳおよび信号対雑音比ＳＮＲ２の周波数スペクトルを示す図である。また、図１０は、計算部２２によって算出された雑音Ｎ１２（＝ＴＳ−ＳＮＲ２）の周波数スペクトルを示す図である。この雑音Ｎ１２は、電話回線上の雑音および機器雑音から成る。なお、図９および図１０において、信号強度の単位はｄＢとする。また、この演算処理はサブキャリア毎に行なわれるものとする。すなわち、ｉ番目のサブキャリアに注目した場合の計算式は、Ｎ１２i＝ＴＳi−ＳＮＲ２iとなる。
【００３９】
再び図６に戻って、ステップＳ１６において、計算部２２は、メモリ２３に記憶された雑音Ｎ１１，Ｎ１２の周波数スペクトルを読出して演算処理を行なう。具体的には、雑音Ｎ１２の周波数スペクトルから雑音Ｎ１１の周波数スペクトルを差し引いて、雑音Ｎ１３の周波数スペクトルを算出する。算出される雑音Ｎ１３は、電話回線上の雑音のみから成る。算出された雑音Ｎ１３の周波数スペクトルは、メモリ２３に記憶される。このようにして、電話回線上の雑音の周波数特性が観測される。その後、スイッチ回路ＳＷ２をＡ側に接続すると、通常のデータ通信を行なうことができる。
【００４０】
なお、上述した演算処理は予めプログラムされ、インターフェースを介して制御部２１に指示が与えられる。また、ユーザは、インターフェースを介してメモリ２３から雑音Ｎ１１〜Ｎ１３の周波数スペクトルを取得することができる。
【００４１】
以上のように、この実施の形態２では、実施の形態１と同様に、ｘＤＳＬ通信装置が電話回線上の雑音の周波数特性を自動的に観測する機能を有する。このため、従来のように測定機材を個別に用意する必要がなく、電話回線上の雑音の周波数特性を継続的に観測することが可能になる。したがって、雑音測定の労力を低減することが可能になる。さらに、実施の形態１に示したようにスペクトラムアナライザ６を内蔵する場合に比べて、低コスト化、装置の小型化が図れる。
【００４２】
なお、今回例示した実施の形態では、ＤＭＴ変調方式を用いたｘＤＳＬ通信装置について説明したが、ＱＡＭ（Quadrature Amplitude Modulation：直交振幅変調）方式を用いたｘＤＳＬ通信装置にも適用可能である。ＱＡＭ方式は、周波数帯域を上りおよび下りのバンドに割当て、割当てられたバンド毎に単一の搬送波を用いてデータ通信を行なう方法である。このため、ＱＡＭ方式を実施の形態２に適用した場合は、計算部２２は、各搬送波、すなわちバンド単位の周波数スペクトルの演算処理を行なうことになる。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】この発明の実施の形態１によるｘＤＳＬ通信装置の概略構成を示すブロック図である。
【図２】電話回線上の雑音の周波数スペクトルを算出する動作を示すフローチャートである。
【図３】図１に示したスペクトラムアナライザによって測定された雑音Ｎ１，Ｎ２の周波数スペクトルを示す図である。
【図４】図１に示した制御部によって算出された雑音Ｎ３（＝Ｎ２−Ｎ１）の周波数スペクトルを示す図である。
【図５】この発明の実施の形態２によるｘＤＳＬ通信装置の概略構成を示すブロック図である。
【図６】電話回線上の雑音の周波数スペクトルを算出する動作を示すフローチャートである。
【図７】テスト信号ＴＳおよび信号対雑音比ＳＮＲ１の周波数スペクトルを示す図である。
【図８】図５に示した計算部によって算出された雑音Ｎ１１（＝ＴＳ−ＳＮＲ１）の周波数スペクトルを示す図である。
【図９】テスト信号ＴＳおよび信号対雑音比ＳＮＲ２の周波数スペクトルを示す図である。
【図１０】図５に示した計算部によって算出された雑音Ｎ１２（＝ＴＳ−ＳＮＲ２）の周波数スペクトルを示す図である。
【符号の説明】
【００４５】
１  送信部、２  ハイブリッド回路２、３  受信部、４  計算制御部、５  高インピーダンスプローブ、６  スペクトラムアナライザ、７，２３  メモリ、８  ジャック、１１  エンコーダ、１２  変調器、１３  パラレル／シリアル変換器、１４  デジタル／アナログ変換器、１５  ドライバ、１６  低雑音アンプ、１７  アナログ／デジタル変換器、１８  シリアル／パラレル変換器、１９  復調器、２０  デコーダ、２１  制御部、２２  計算部、ＳＷ１，ＳＷ２  スイッチ回路。
【図１】
2007028175.tif 000003
【図２】
2007028175.tif 000004
【図３】
2007028175.tif 000005
【図４】
2007028175.tif 000006
【図５】
2007028175.tif 000007
【図６】
2007028175.tif 000008
【図７】
2007028175.tif 000009
【図８】
2007028175.tif 000010
【図９】
2007028175.tif 000011
【図１０】
2007028175.tif 000012